(57)【要約】【課題】複数のセンサを備えたトイレシステムにおいて、センサによる消費電力を低減することができるトイレシステムを提供する。【解決手段】トイレルーム１５内に小便器１〜３と大便器４〜６が設置され、各便器１〜６にセンサ１ａ〜６ａが設けられている。出入口１４に最も近い小便器１のセンサ１ａは常に動作している。その他のセンサ２ａ〜６ａは、センサ１ａが人体を検知すると動作し、その後、所定時間が経過するか、又は人がトイレルーム１５から退室すると動作停止状態とされる。センサ１ａ〜６ａとしては電波式センサが好適である。【選択図】図３
2012026202.tif 000002
【特許請求の範囲】
【請求項１】
人体検知センサを有するトイレ機器が複数個設置されたトイレシステムにおいて、一部の第１のトイレ機器に設けられたセンサが人体を検知した場合に残部の第２のトイレ機器が人体検知動作を開始するよう構成されていることを特徴とするトイレシステム。
【請求項２】
請求項１において、前記第１のトイレ機器は、第２のトイレ機器よりトイレの出入口に近いことを特徴とするトイレシステム。
【請求項３】
請求項１又は２において、前記第１のトイレ機器のセンサが人体を検知したときに第２のトイレ機器のセンサに対し動作開始信号を送信する送信手段が第１のトイレ機器に設けられており、
第２のトイレ機器には、該送信手段からの信号を受信する受信手段と、該受信手段の受信信号に応じてセンサの動作を開始させる動作開始手段とが設けられていることを特徴とするトイレシステム。
【請求項４】
請求項３において、該第２のトイレ機器には、受信手段で受信した信号を他の第２のトイレ機器へ送信するための中継用送信手段が設けられていることを特徴とするトイレシステム。
【請求項５】
請求項３又は４において、前記第２のトイレ機器には、そのセンサが動作を開始してから所定時間が経過すると、該センサの動作を停止させる手段が設けられていることを特徴とするトイレシステム。
【請求項６】
請求項３又は４において、前記第２のトイレ機器には、そのセンサが人体を検知していることを第１のトイレ機器に対して送信する報告送信手段が設けられており、該第１のトイレ機器は、第１のトイレ機器及びすべての第２のトイレ機器のセンサが人体不検知となったときに第２のトイレ機器に動作停止信号を送信することを特徴とするトイレシステム。
【請求項７】
請求項２において、前記第１のトイレ機器のセンサはトイレルーム内へ入る人体とトイレルームから出る人体とを検知可能であり、
第１のトイレ機器は、トイレルーム内に入った人数とトイレルームから出た人数との差からトイレルーム内の滞在人数を計算し、この滞在人数がゼロとなったときに第２のトイレ機器に対しセンサの動作を停止させる信号を送信する手段を備えたことを特徴とするトイレシステム。
【請求項８】
請求項１ないし７のいずれか１項において、前記第１のトイレ機器のセンサの検知エリアが第２のトイレ機器のセンサの検知エリアよりも大きいことを特徴とするトイレシステム。
【請求項９】
請求項１ないし８のいずれか１項において、前記第１のトイレ機器として設定するために、各トイレ機器に設定スイッチを設けたことを特徴とするトイレシステム。
【発明の詳細な説明】
【技術分野】
【０００１】
本発明は、便器使用者等の人体を検知するセンサを有するトイレシステムに係り、特に複数のセンサを備えたトイレシステムにおけるセンサの消費電力を低減するよう改良されたトイレシステムに関する。
【背景技術】
【０００２】
トイレ使用者をセンサで検知して洗浄動作等を行う便器設備は、既に広く用いられている。特開２００３−２６８８４４には、複数のブースを備えたトイレ設備において、ユーティリティスペースに人体が入るまではトイレブースの電装品をＯＦＦとしておくことにより節電を図ることが記載されている。
【先行技術文献】
【特許文献】
【０００３】
【特許文献１】特開２００３−２６８８４４
【発明の概要】
【発明が解決しようとする課題】
【０００４】
本発明は、複数のセンサを備えたトイレシステムにおいて、センサによる消費電力を低減することができるトイレシステムを提供することを目的とする。
【課題を解決するための手段】
【０００５】
請求項１のトイレシステムは、人体検知センサを有するトイレ機器が複数個設置されたトイレシステムにおいて、一部の第１のトイレ機器に設けられたセンサが人体を検知した場合に残部の第２のトイレ機器が人体検知動作を開始するよう構成されていることを特徴とするものである。
【０００６】
請求項２のトイレシステムは、請求項１において、前記第１のトイレ機器は、第２のトイレ機器よりトイレの出入口に近いことを特徴とするものである。
【０００７】
請求項３のトイレシステムは、請求項１又は２において、前記第１のトイレ機器のセンサが人体を検知したときに第２のトイレ機器のセンサに対し動作開始信号を送信する送信手段が第１のトイレ機器に設けられており、第２のトイレ機器には、該送信手段からの信号を受信する受信手段と、該受信手段の受信信号に応じてセンサの動作を開始させる動作開始手段とが設けられていることを特徴とするものである。
【０００８】
請求項４のトイレシステムは、請求項３において、該第２のトイレ機器には、受信手段で受信した信号を他の第２のトイレ機器へ送信するための中継用送信手段が設けられていることを特徴とするものである。
【０００９】
請求項５のトイレシステムは、請求項３又は４において、前記第２のトイレ機器には、そのセンサが動作を開始してから所定時間が経過すると、該センサの動作を停止させる手段が設けられていることを特徴とするものである。
【００１０】
請求項６のトイレシステムは、請求項３又は４において、前記第２のトイレ機器には、そのセンサが人体を検知していることを第１のトイレ機器に対して送信する報告送信手段が設けられており、該第１のトイレ機器は、第１のトイレ機器及びすべての第２のトイレ機器のセンサが人体不検知となったときに第２のトイレ機器に動作停止信号を送信することを特徴とするものである。
【００１１】
請求項７のトイレシステムは、請求項２において、前記第１のトイレ機器のセンサはトイレルーム内へ入る人体とトイレルームから出る人体とを検知可能であり、第１のトイレ機器は、トイレルーム内に入った人数とトイレルームから出た人数との差からトイレルーム内の滞在人数を計算し、この滞在人数がゼロとなったときに第２のトイレ機器に対しセンサの動作を停止させる信号を送信する手段を備えたことを特徴とするものである。
【００１２】
請求項８のトイレシステムは、請求項１ないし７のいずれか１項において、前記第１のトイレ機器のセンサの検知エリアが第２のトイレ機器のセンサの検知エリアよりも大きいことを特徴とするものである。
【００１３】
請求項９のトイレシステムは、請求項１ないし８のいずれか１項において、前記第１のトイレ機器として設定するために、各トイレ機器に設定スイッチを設けたことを特徴とするものである。
【発明の効果】
【００１４】
本発明のトイレシステムでは、第１のトイレ機器のセンサが人体を検知するまでは第２のトイレ機器のセンサは動作が停止しているので、第２のトイレ機器のセンサの消費電力が少ないものとなる。
【００１５】
トイレルームの出入口に最も近いトイレ機器（例えば便器）を第１のトイレ機器とした場合、トイレルームに人が入ってくるまでは第２のトイレ機器のセンサが動作を停止しているので、第２のトイレ機器のセンサによる消費電力が低減される。
【００１６】
第１のトイレ機器のセンサが人体を検知したときに第２のトイレ機器のセンサに対し動作開始信号を送信し、第２のトイレ機器のセンサの動作を開始させることにより、第２のトイレ機器のセンサの動作を確実に開始させることができる。この場合、第２のトイレ機器に、受信信号を他の第２のトイレ機器へ送信する中継機能を持たせることにより、トイレルームが広い場合でも各第２のトイレ機器のセンサを確実に動作させることができる。
【００１７】
第２のトイレ機器のセンサは、動作を開始してから所定時間が経過すると動作停止に戻るように構成されてもよい。また、第２のトイレ機器のセンサは、トイレルーム内に人体が居なくなった後に動作停止となるよう構成されてもよい。
【００１８】
本発明では、複数個のトイレ機器のうち一部のものを第１のトイレ機器として設定し、その他のトイレ機器を第２のトイレ機器として設定するが、この設定を行うためのスイッチを各トイレ機器に設けておくことにより、所定のトイレ機器を第１のトイレ機器として確実に設定することができる。
【図面の簡単な説明】
【００１９】
【図１】実施の形態に係るトイレシステムを備えたトイレルームの平面図である。
【図２】実施の形態を説明するタイミングチャートである。
【図３】実施の形態を説明するタイミングチャートである。
【図４】実施の形態を説明するタイミングチャートである。
【図５】実施の形態を説明するフローチャートである。
【図６】別の実施の形態を説明するフローチャートである。
【発明を実施するための形態】
【００２０】
以下、図面を参照して実施の形態について説明する。
【００２１】
［第１の実施の形態］
第１図〜第５図は第１の実施の形態を示すものであり、第１図はトイレルームの平面図、第２図〜第４図はタイミングチャート、第５図はフローチャートである。
【００２２】
第１図の通り、建物１０の廊下に通路口１１を介してユーティリティエリア１２が通じており、このユーティリティエリア１２に洗面設備１３が設置されている。ユーティリティエリア１２に対し出入口１４を介してトイレルーム１５が通じている。
【００２３】
このトイレルーム１５内に小便器１〜３と大便器４〜６が設置されている。大便器４〜６はブース１７〜１９内に設置されている。小便器１〜３は、ブース１７〜１９と反対側のトイレルーム壁面に沿うカウンター１６に取り付けられている。各便器１〜６に人体検知センサ１ａ〜６ａが設置されている。各センサ１ａ〜６ａは、各便器１〜６に近接した人体を検知するためのものであり、この実施の形態では電波によって人体を検知する電波式センサにて構成されているが、赤外線式センサなどであってもよい。電波式センサであれば、便器や便座ボックス、ロータンクカバー等にセンサ用開口をあけることなく設置可能である。また、このセンサと同じ周波数帯の電波によって便器１〜６相互間の通信が可能である。なお、出入口１４に最も近い小便器１のセンサ１ａは、出入口１４付近の人体を検知するように、他のセンサ２ａ〜６ａよりも検知エリアが大きい（広い）ものとなっている。この実施の形態では、小便器１が第１のトイレ機器であり、小便器２，３及び大便器４〜６が第２のトイレ機器である。
【００２４】
各小便器１〜３には、人体が所定時間（例えば５〜６０秒程度）以上小便器前に滞在した後、遠ざかると、洗浄（小便器に水を流すこと）を行う自動洗浄装置（図示略）が設置されている。
【００２５】
大便器４〜６には、人体が所定距離以内に近づくと便蓋を起立させ、この人体が離れると便蓋を閉める便蓋自動開閉装置が設けられている。また、各大便器４〜６には、人体が所定距離以内に近づくと暖房便座をＯＮとし、この人体が離れると暖房便座をＯＦＦとする暖房便座自動制御装置及び人体が便器から離反すると、便器を自動洗浄する自動洗浄装置が設置されている。
【００２６】
この実施の形態では、小便器１には、センサ１ａが人体を検知したときに（具体的には、センサ１ａが人体を検知し、その後人体を検知しなくなった時に）、小便器２，３及び大便器４〜６に対しセンサ動作開始信号を送信すると共に、所定時間（ｎ分）が経過するとセンサ動作停止信号を送信するｎ分タイマー付き制御装置が設けられている。各小便器２，３及び大便器４〜６には、このセンサ動作開始又は停止信号を受信し、この受信信号に基いてセンサ２ａ〜６ａの動作を開始又は停止させるセンサ制御装置が設けられている。
【００２７】
センサ１ａは常に人体検知動作を行うよう構成されており、センサ２ａ〜６ａは、第５図に示す通り、小便器１から動作開始信号を受信してから所定時間（ｎ分）だけ動作する。なお、ｎ分は１〜１０分特に１〜３分の間から選ばれることが望ましい。
【００２８】
このセンサ２ａ〜６ａの動作例について第２図〜第４図を参照して説明する。第２図は、人が出入口１４からトイレルーム１５内に入り、小便器１のみを使用して退室する場合を示している。
【００２９】
この場合、センサ１ａは時刻ｔ１で人体を検知し、時刻ｔ２で人体不検知となる。この時刻ｔ２に、他の機器２〜６に対してセンサ動作開始信号が送信され、センサ２ａ〜６ａが動作開始する。また、小便器１に設けられたｎ分タイマーがスタートする。この場合、人はそのまま退室したので、センサ２ａ〜６ａのいずれも人体を検知しない。そのため、ｔ２からｎ分が経過した時刻ｔ３になると、小便器１から他の便器２〜６に対しセンサ作動停止信号が送信され、センサ２ａ〜６ａが動作を停止する。ｔ２以前及びｔ３以後はセンサ２ａ〜６ａが動作しないので、消費電力が少ない。
【００３０】
なお、この場合、小便器１にあっては、時刻ｔ２の時点から所要時間、便器洗浄が行われる。他の便器２〜６では便器洗浄は行われない。
【００３１】
人が小便器１の前に来たが、小便器１を使用せずにすぐに退室した場合は、小便器１の洗浄が行われないこと以外は第２図と同じである。
【００３２】
第３図は、人がトイレルーム１５に入り、小便器１の前を通過し、小便器２を使用し、小便器１の前を通過して退室した場合の例を示している。
【００３３】
この場合、時刻ｔ４でセンサ１ａが人体を検知し、ｔ５で人体不検知となり、このときに便器２〜６に対しセンサ動作開始信号が送信され、センサ２ａ〜６ａが動作を開始する。人体が小便器２の前に居る時刻ｔ６〜ｔ７間にはセンサ２ａが人体を検知する。退室時（時刻ｔ８〜ｔ９）には、人が小便器１の前を通るので、センサ１ａが人体を検知する。この場合、センサ１ａの検知レベルが立ち下がる時刻ｔ５でｎ分タイマーが計時をスタートするが、同じくセンサ１ａの検知レベルが立ち下がる時刻ｔ９でｎ分タイマーが再スタートし、時刻ｔ９からｎ分が経過した時刻ｔ１０までセンサ２ａ〜６ａが動作する。時刻ｔ１０になると、小便器１から他の便器２〜６に対しセンサ作動停止信号が送信され、センサ２ａ〜６ａが動作を停止する。時刻ｔ５以前及び時刻ｔ１０以後はセンサ２ａ〜６ａが動作しないので、消費電力が低減される。
【００３４】
なお、時刻ｔ７から所要時間、小便器２が洗浄される。
【００３５】
第４図は、ある人Ａがトイレルーム１５に入り、小便器１の前を通過し、大便器６を使用し、小便器１の前を通過して退室すると共に、該人Ａが大便器６を使用している間に別の人Ｂがトイレルーム１５に入り、小便器１を使用して退室した場合の例を示している。
【００３６】
この場合、時刻ｔ１１でセンサ１ａが人体を検知し、ｔ１２で人体不検知となり、このときに便器２〜６に対しセンサ動作開始信号が送信され、センサ２ａ〜６ａが動作を開始する。人Ａがブース１９に入り大便器６を使用している時刻ｔ１３〜ｔ１６間にはセンサ６ａが人体を検知する。また、人Ｂが小便器１を使用している時刻ｔ１４〜ｔ１５の間はセンサ１ａが人体を検知している。人Ａが退室して小便器１ａの前を通るとき（時刻ｔ１７〜ｔ１８）にもセンサ１ａが人体を検知する。センサ１ａの検知レベルが立ち下がる時刻ｔ１２でｎ分タイマーが計時を開始するが、センサ１ａの検知レベルが立ち下がる時刻ｔ１５及びｔ１８でｎ分タイマーがそれぞれ再スタートし、時刻ｔ１８からｎ分が経過した時刻ｔ１９までセンサ２ａ〜６ａが動作する。時刻ｔ１９になると、小便器１から他の便器２〜６に対しセンサ作動停止信号が送信され、センサ２ａ〜６ａが動作を停止する。時刻ｔ１２以前及び時刻ｔ１９以後はセンサ２ａ〜６ａが動作しないので、消費電力が低減される。
【００３７】
なお、この第１の実施の形態において、ｎ分タイマーは便器２〜６に設置されてもよい。この場合、小便器１から人体検知レベルの立ち下がりを示す信号が送信され、各便器２〜６では、この信号が入力される度にｎ分タイマーがスタートし、ｎ分タイマーがｎ分を計時すると各便器のセンサが作動停止するものとする。
【００３８】
［第２の実施の形態］
第６図を参照して別の実施の形態について説明する。この実施の形態では、便器２〜６にはセンサ２ａ〜６ａの検知結果を便器１に送信する送信装置が設けられている。便器１の制御装置は、この送信信号を受信し、センサ１ａ〜６ａの検知結果に基いてセンサ２ａ〜６ａに動作信号及び停止信号を与えるよう構成されている。また、この実施の形態では、センサ１ａは、小便器１の前方かつブース１７前までの通路スペースの人体を検知し、センサ２ａは小便器２の前方かつブース１８前までの通路スペースの人体を検知し、センサ３ｃは小便器３の前方かつブース１９前までの通路スペースの人体を検知するよう構成されている。センサ４ａはブース１７内の人体を検知し、センサ５ａはブース１８内の人体を検知し、センサ６ａはブース１９内の人体を検知するよう構成されている。
【００３９】
センサ１ａが人体を検知するまではセンサ２ａ〜６ａは動作停止とされ、センサ１ａが人体を検知するとセンサ２ａ〜６ａが動作を開始する。その後、センサ１ａ〜６ａの少なくとも１つが人体を検知している間はすべてのセンサ１ａ〜６ａが動作し、すべてのセンサ１ａ〜６ａが人体を検知しなくなるとセンサ２ａ〜６ａが動作停止とされる。具体的には、人がトイレルーム１５に入り、その後退室する場合、センサ１ａが人体を検知するとすべてのセンサ１ａ〜６ａが動作し、その後、人が退室してセンサ１ａ〜６ａのすべてが人体不検知となると、センサ２ａ〜６ａが動作停止となる。
【００４０】
［第３の実施の形態］
本発明では、小便器１のセンサ１ａがドップラ式センサなどトイレルーム１５内への人の出と入とを区別することができるものであってもよい。この場合、トイレルーム１５内に入った人の数と出た人の数とからトイレルーム１５内に滞留する人の数Ｎを計数し、トイレルーム１５内に人が居る（Ｎ≧１）場合はセンサ１ａに加えてすべてのセンサ２ａ〜６ａを動作させ、トイレルーム１５内に人が居ないとき（Ｎ＝０）にはセンサ２ａ〜６ａを停止させるようにしてもよい。
【００４１】
［別の実施の形態］
本発明では、便器２〜６の少なくとも１つに、他の便器からの送信信号を他の便器に向けて再送信するアドホック方式を採用してもよい。このようにすれば、トイレルームが著しく広い場合でも、出入口から遠い便器と確実に通信することができる。また、人が皆出た時、人体検知がないことを確認し合える。
【００４２】
本発明では、すべての便器に一斉に洗浄禁止指令信号を与えるリモコンを設けると共に、すべての便器に、この指令信号に基づいて洗浄禁止モードとする制御装置を設けてもよい。このようにすれば、トイレ掃除のときに便器が自動洗浄してしまうことが防止される。また、リモコンからの信号を受ける受信部を本発明の受信手段で兼ねてもよい。このようにすれば、部品点数を少なくできる。
【００４３】
上記実施の形態では、トイレルームの出入口は１個だけ設置されているが、２個以上設置されてもよい。この場合、各出入口に最も近い便器がそれぞれ第１のトイレ機器となる。第２のトイレ機器は各第１のトイレ機器のセンサの人体検知又は不検知に従って制御される。
【００４４】
なお、トイレルームに設置された複数個のトイレ機器のうち、特定のものを第１のトイレ機器として設定するために、各トイレ機器に第１のトイレ機器であることを設定する（例えばメモリに入力する）ためのスイッチを設けてもよい。また、すべてのトイレ機器を電源オンにした後、最初に人体を検知したトイレ機器を第１のトイレ機器として設定するようにしてもよい。
【符号の説明】
【００４５】
１〜３  小便器
４〜６  大便器
１ａ〜６ａ  センサ
１２  ユーティリティスペース
１４  出入口
１５  トイレルーム
１７〜１９  ブース
【図１】
2012026202.tif 000003
【図２】
2012026202.tif 000004
【図３】
2012026202.tif 000005
【図４】
2012026202.tif 000006
【図５】
2012026202.tif 000007
【図６】
2012026202.tif 000008